(57)【要約】  ドラム洗濯機のモータ取付装置であって、外槽に設けられる第１接続装置、モータ（２）のハウジングに設けられる第２接続装置及び接続部材を含む。第２接続装置と第１接続装置は接続部材を介して一体的に接続される。第２接続装置は数を３つとし、三角形をなすよう外槽後部（１）に設けられる。また、第１接続装置は第２接続装置に対応して三角形をなすよう設けられる。当該ドラム洗濯機のモータ取付装置では、三角形による安定性の原理を利用して固定取付装置を設計している。モータ（２）のハウジングには３つの第２接続装置を設け、これらを外槽後部（１）に設けられる３つの第１接続装置にそれぞれ対応させて、接続部材により接続固定している。３つの第２接続装置は三角形をなすよう配置されているため、ドラム洗濯機における外槽後部（１）のフランジに対するモータ（２）の取り付けが容易且つ便利となる。また、部材を跨ぐような取り付けが不要となるため、取り付け誤差が低下する。【選択図】図１
2018521825.tif 000002
【特許請求の範囲】
【請求項１】
外槽に設けられる第１接続装置、モータハウジングに設けられる第２接続装置及び接続部材を含み、第２接続装置と第１接続装置は接続部材を介して一体的に接続され、第２接続装置は数を３つとし、三角形をなすよう外槽後部に設けられ、第１接続装置は第２接続装置に対応して三角形をなすよう設けられることを特徴とするドラム洗濯機のモータ取付装置。
【請求項２】
３つの第２接続装置は正三角形をなすよう設けられるとともに、これに対応して、３つの第１接続装置もまた正三角形をなすよう設けられることを特徴とする請求項１に記載のドラム洗濯機のモータ取付装置。
【請求項３】
３つの第２接続装置は直角二等辺三角形をなすよう設けられるとともに、これに対応して、３つの第１接続装置もまた直角二等辺三角形をなすよう設けられることを特徴とする請求項１に記載のドラム洗濯機のモータ取付装置。
【請求項４】
第１接続装置は中空のネジ孔を有するスタッドボルトを含み、スタッドボルトは、外槽後部に設けられるとともに、スタッドボルトの下部周りに設けられる補強リブによって外槽後部との接続が補強され、
第２接続装置は固定脚を含み、固定脚は、一端がモータハウジングに接続されるとともに他端に接続カバーが設けられ、接続カバーはスタッドボルトの外側に組み合わされるよう覆設され、接続部材によってこれらが固定接続されることを特徴とする請求項１〜３のいずれかに記載のドラム洗濯機のモータ取付装置。
【請求項５】
２つのスタッドボルトの中心軸線は外槽の中心軸線と平行であり、残りのスタッドボルトの中心軸線は外槽の中心軸線に対し垂直であることを特徴とする請求項４に記載のドラム洗濯機のモータ取付装置。
【請求項６】
モータハウジングのうちモータの出力端寄りの位置には固定脚が２つ設けられ、当該２つの固定脚における接続カバーは中心軸線がモータの出力軸と平行であり、且つ、当該２つの固定脚は、中心軸線が外槽の中心軸線と平行な２つのスタッドボルトに組み合わされることを特徴とする請求項５に記載のドラム洗濯機のモータ取付装置。
【請求項７】
モータハウジングのうちモータの出力端から離開する位置には固定脚が１つ設けられ、当該固定脚における接続カバーは中心軸線がモータの出力軸に対し垂直であり、且つ、当該固定脚は、中心軸線が外槽の中心軸線に対し垂直なスタッドボルトに組み合わされることを特徴とする請求項６に記載のドラム洗濯機のモータ取付装置。
【請求項８】
モータハウジングのうちモータの出力端から離開する位置には固定脚が１つ設けられ、当該固定脚は貫通孔を有し、貫通孔の中心軸線はモータの出力軸に対し垂直であり、且つ、中心軸線が外槽の中心軸線に対し垂直なスタッドボルトに組み合わされることを特徴とする請求項６に記載のドラム洗濯機のモータ取付装置。
【請求項９】
３つのスタッドボルトの中心軸線は、いずれも外槽の中心軸線と平行であることを特徴とする請求項４に記載のドラム洗濯機のモータ取付装置。
【請求項１０】
モータハウジングのうちモータの出力端寄りの位置には固定脚が２つ設けられ、当該２つの固定脚における接続カバーは中心軸線がモータの出力軸と平行であり、モータハウジングのうちモータの出力端から離開する位置には固定脚が１つ設けられ、当該固定脚における接続カバーは中心軸線がモータの出力軸と平行であることを特徴とする請求項８に記載のドラム洗濯機のモータ取付装置。
【発明の詳細な説明】
【技術分野】
【０００１】
本発明は取付装置に関し、特に、接続固定装置分野に属するドラム洗濯機のモータ取付装置に関する。
【背景技術】
【０００２】
従来のＢＬＤＣモータ（Ｂｒｕｓｈｌｅｓｓ  ＤＣ  Ｍｏｔｏｒ，ブラシレスＤＣモータ）は、モータハウジングの上下両端に配置されてネジ／バンパーにより外槽に取り付けられる４つの固定爪を有している。外槽後部の高さが低い場合、ＢＬＤＣモータの固定爪は往々にして外槽前部と外槽後部を跨ぐことになる。即ち、２つの固定爪が外槽後部に取り付けられ、２つの固定爪が外槽前部に取り付けられる。このような部材を跨ぐ取り付け方式は誤差が大きく、精度が低下するため、モータ軸の中心がずれて品質問題に発展する恐れがある。そこで、従来は、ＢＬＤＣモータのハウジングを２つの固定爪のみで外槽後部に取り付けるとの解決策をとっている。しかし、２点のみで位置決めしていることに加え、洗濯機は動作時に大きく振動して各方向へと揺動することから、モータの動作環境は劣悪となる。このように、２点のみで固定した場合には十分堅固とはならず、安全上のリスクが存在する。
【０００３】
以上に鑑みて、本発明を提案する。
【発明の概要】
【発明が解決しようとする課題】
【０００４】
本発明は、従来技術の瑕疵を解消し、取り付け誤差が低く且つ容易に取り付けられるドラム洗濯機のモータ取付装置を提供することを解決すべき技術的課題とする。
【課題を解決するための手段】
【０００５】
上記の技術的課題を解決すべく、本発明で採用する技術方案の基本思想について以下に述べる。
【０００６】
ドラム洗濯機のモータ取付装置であって、外槽に設けられる第１接続装置、モータハウジングに設けられる第２接続装置及び接続部材を含み、第２接続装置と第１接続装置は接続部材を介して一体的に接続され、第２接続装置は数を３つとし、三角形をなすよう外槽後部に設けられ、第１接続装置は第２接続装置に対応して三角形をなすよう設けられる。
【０００７】
更に、３つの第２接続装置は正三角形をなすよう設けられるとともに、これに対応して、３つの第１接続装置もまた正三角形をなすよう設けられる。
【０００８】
更に、３つの第２接続装置は直角二等辺三角形をなすよう設けられるとともに、これに対応して、３つの第１接続装置もまた直角二等辺三角形をなすよう設けられる。
【０００９】
更に、第１接続装置は中空のネジ孔を有するスタッドボルトを含み、スタッドボルトは、外槽後部に設けられるとともに、スタッドボルトの下部周りに設けられる補強リブによって外槽後部との接続が補強され、第２接続装置は固定脚を含み、固定脚は、一端がモータハウジングに接続されるとともに他端に接続カバーが設けられ、接続カバーはスタッドボルトの外側に組み合わされるよう覆設され、接続部材によってこれらが固定接続される。
【００１０】
更に、２つのスタッドボルトの中心軸線は外槽の中心軸線と平行であり、残りのスタッドボルトの中心軸線は外槽の中心軸線に対し垂直である。
【００１１】
更に、モータハウジングのうちモータの出力端寄りの位置には固定脚が２つ設けられ、当該２つの固定脚における接続カバーは中心軸線がモータの出力軸と平行であり、且つ、当該２つの固定脚は、中心軸線が外槽の中心軸線と平行な２つのスタッドボルトに組み合わされる。
【００１２】
更に、モータハウジングのうちモータの出力端から離開する位置には固定脚が１つ設けられ、当該固定脚における接続カバーは中心軸線がモータの出力軸に対し垂直であり、且つ、当該固定脚は、中心軸線が外槽の中心軸線に対し垂直なスタッドボルトに組み合わされる。
【００１３】
更に、モータハウジングのうちモータの出力端から離開する位置には固定脚が１つ設けられ、当該固定脚は貫通孔を有し、貫通孔の中心軸線はモータの出力軸に対し垂直であり、且つ、中心軸線が外槽の中心軸線に対し垂直なスタッドボルトに組み合わされる。
【００１４】
更に、３つのスタッドボルトの中心軸線は、いずれも外槽の中心軸線と平行である。
【００１５】
更に、モータハウジングのうちモータの出力端寄りの位置には固定脚が２つ設けられ、当該２つの固定脚における接続カバーは中心軸線がモータの出力軸と平行であり、モータハウジングのうちモータの出力端から離開する位置には固定脚が１つ設けられ、当該固定脚における接続カバーは中心軸線がモータの出力軸と平行である。
【発明の効果】
【００１６】
上記の技術方案を用いれば、本発明は従来技術と比較して以下のような有益な効果を有する。
【００１７】
本発明におけるドラム洗濯機のモータ取付装置では、三角形による安定性の原理を利用して固定取付装置を設計している。モータハウジングには３つの第２接続装置を設け、これらを外槽後部に設けられる３つの第１接続装置にそれぞれ対応させて、接続部材により接続固定している。３つの第２接続装置は三角形をなすよう配置されているため、ドラム洗濯機における外槽後部のフランジに対するＢＬＤＣモータの取り付けが容易且つ便利となる。また、部材を跨ぐような取り付けが不要となるため、取り付け誤差が低下する。
【００１８】
以下に、図面を組み合わせて本発明の具体的実施形態につき更に詳細に述べる。
【図面の簡単な説明】
【００１９】
【図１】図１は、ドラム洗濯機における外槽後部のフランジに対するＢＬＤＣモータの取り付けを示す図である。
【図２】図２は、図１の部分拡大図である。
【図３】図３は、ドラムの主軸と平行な視点からみたドラム洗濯機における外槽後部のフランジに対するＢＬＤＣモータの取り付けを示す図である。
【図４】図４は、図３の部分拡大図である。
【図５】図５は、接続キャップ、接続カバー及びスタッドボルトの分解図である。
【図６】図６は、接続キャップの平面図である。
【発明を実施するための形態】
【００２０】
実施例１
【００２１】
本発明におけるドラム洗濯機のモータ取付装置は、外槽に設けられる第１接続装置、モータハウジングに設けられる第２接続装置及び接続部材を含む。第２接続装置と第１接続装置は接続部材を介して一体的に接続される。第２接続装置は数を３つとし、三角形をなすよう外槽後部に設けられる。また、第１接続装置は第２接続装置に対応して三角形をなすよう設けられる。
【００２２】
図１及び図２を組み合わせて、第１接続装置はスタッドボルトを含み、スタッドボルトが外槽後部１に設けられている。スタッドボルトは中空のネジ孔を有している。また、スタッドボルトの下部周りには補強リブが設けられており、補強リブによってスタッドボルトと外槽後部１が接続されている。
【００２３】
第２接続装置は固定脚を含む。固定脚は、一端がモータハウジングに接続されるとともに、他端に接続カバー４１が設けられている。接続カバー４１はスタッドボルトの外側に組み合わされるよう覆設され、接続部材によってスタッドボルトと接続カバー４１が固定される。
【００２４】
図１〜５を組み合わせて、本実施例において、スタッドボルトは第１スタッドボルト５１を２つと第２スタッドボルト５２を１つ含む。２つの第１スタッドボルト５１の中心軸線は外槽の中心軸線と平行であり、第２スタッドボルト５２の中心軸線は外槽の中心軸線に対し垂直である。また、第２スタッドボルト５２の中心軸線は外槽後部の円心に向かうのではなく、円心に対し偏位している。
【００２５】
固定脚は、第１固定脚３１と第２固定脚３２を含む。モータハウジングのうちモータの出力端寄りの位置には第１固定脚３１が２つ設けられている。これら２つの第１固定脚３１端部における接続カバー４１は中心軸線がモータの出力軸と平行であり、且つ、中心軸線が外槽の中心軸線と平行な２つの第１スタッドボルト５１に組み合わされる。また、モータの出力軸は外槽の中心軸線と平行である。
【００２６】
本実施例では、図２に示すように、モータハウジングのうちモータの出力端から離開する位置に第２固定脚３２が１つ設けられている。当該固定脚は貫通孔を有しており、貫通孔の中心軸線がモータの出力軸に対し垂直となっている。且つ、第２固定脚３２は第２スタッドボルト５２に組み合わされるよう接続される。また、当該第２スタッドボルト５２の中心軸線は、外槽の中心軸線に対し垂直となっている。
【００２７】
その他の実施例では、モータハウジングのうちモータの出力端から離開する位置には第２固定脚が１つ設けられ、当該固定脚の一端には接続カバーが設けられる。接続カバーは中心軸線がモータの出力軸に対し垂直となっており、且つ、中心軸線が外槽の中心軸線に対し垂直なスタッドボルトに組み合わされる。
【００２８】
ＢＬＤＣモータを取り付ける際には、モータハウジングにおける２つの第１固定脚３１端部の接続カバー４１を外槽後部に位置する２つの第１スタッドボルト５１にそれぞれ覆設する。図５に示すように、接続カバー４１を第１スタッドボルト５１の外側に覆設しやすいよう、第１スタッドボルト５１の外径は接続カバー４１の内径よりも小さくなっている。本実施例において、接続部材は接続キャップ６及びネジを含む。図５及び図６に示すように、接続キャップ６は互いに接続される天板６１と縦筒６２を含む。天板６１は円形であり、中央に貫通孔６３を有している。天板６１の直径は接続カバー４１の直径よりも大きい。縦筒６２は天板６１の一方の側面に設けられている。縦筒６２は筒状であり、且つ、縦筒６２の筒壁に分裂した複数の部分が形成されるよう、筒壁には軸方向に複数の切欠きが均一に設けられている。本実施例では、縦筒６２の筒壁に分裂した３つの部分が形成されるよう、３つの切欠きが設けられている。
【００２９】
取り付け時には、第１スタッドボルト５１を接続カバー４１に挿入し、接続キャップ６の縦筒６２を接続カバー４１と第１スタッドボルト５１との隙間に挿入する。接続キャップ６の天板６１は、接続カバー４１と第１スタッドボルト５１の上部を押圧する。接続カバー４１は接続キャップ６の縦筒６２外側に覆設され、接続キャップ６の縦筒６２は第１スタッドボルト５１の外側に覆設される。縦筒６２の筒壁の厚さは、接続カバー４１と第１スタッドボルト５１との隙間寸法に対応している。図５に示すように、第１スタッドボルト５１の外周には支持プレート５１２が設けられており、支持プレート５１２によって第１スタッドボルト５１と外槽後部１が接続される。また、接続カバー４１が第１スタッドボルト５１の外側に覆設される際、支持プレート５１２は接続カバー４１を支持及び当止可能である。第１スタッドボルト５１の下部には補強リブ５１１が設けられており、第１スタッドボルト５１がしっかりと外槽後部１に設けられるよう、補強リブ５１１によって第１スタッドボルト５１と外槽後部１が接続される。実際には、支持プレート５１２と補強リブ５１１が、いずれも第１スタッドボルト５１を外槽後部１にしっかりと設置するための役割を果たす。
【００３０】
接続キャップ６の天板６１中央における貫通孔は第１スタッドボルト５１のネジ孔の位置に対応しており、ネジが天板６１中央の貫通孔から第１スタッドボルト５１のネジ孔５１３にねじ込まれる。これにより、接続キャップ６の天板６１が接続カバー４１と第１スタッドボルト５１の上部にしっかりと押圧され、接続キャップ６とネジによって接続カバー４１と第１スタッドボルト５１が固定接続される。
【００３１】
接続キャップ６における縦筒６２の筒壁には分裂した３つの部分が形成されていることから、接続キャップ６のうち縦筒６２の製造精度が低い場合であっても、接続カバー４１と第１スタッドボルト５１との隙間にスムーズに挿入されるよう調整する余裕がある。
【００３２】
なお、その他の実施例では接続キャップ６を省略してもよい。この場合には、接続カバー４１を一方の側に底面を有する構造とし、当該底面にネジを通すための貫通孔を設ける。取り付け時には、第１スタッドボルト５１を底面が設けられない側から接続カバー４１に挿入することで、接続カバー４１を第１スタッドボルト５１に覆設する。そして、ネジの基部を接続カバー４１底面の貫通孔に挿通して第１スタッドボルト５１のネジ山に接続する一方、ネジの頭部を接続カバー４１の底面に接触させて接続カバー４１の底面外側に係着させる。以上により、ネジを用いて接続カバー４１と第１スタッドボルト５１を直に固定接続する。
【００３３】
図２及び図４を組み合わせて、第２固定脚３２と第２スタッドボルト５２を係合させてから、ネジを第２固定脚３２の貫通孔に挿通して第２スタッドボルト５２のネジ孔にねじ込むことにより、第２固定脚３２と第２スタッドボルト５２を固定接続する。また、第２スタッドボルト５２は補強リブにより外槽後部１にしっかりと接続される。
【００３４】
３つの第２接続装置が三角形をなすよう設けられることから、これに対応して、３つの第１接続装置もまた三角形をなすよう設けられる。３つの第１接続装置として、２つの第１スタッドボルト５１の中心軸線は外槽の中心軸線と平行であり、１つの第２スタッドボルト５２の中心軸線は外槽の中心軸線に対し垂直である。また、第２スタッドボルト５２の中心軸線は外槽後部１の円心に向かうのではなく、円心に対し偏位している。これによれば、モータは外槽後部１への固定接続後に、外槽の軸方向及び径方向における各種揺動力に抵抗可能となるため、モータと外槽後部１の接続が安定する。
【００３５】
外槽後部１に対するモータの取り付けをより安定させるために、その他の実施例では、３つの第２接続装置が正三角形をなすよう設けられるとともに、これに対応して、３つの第１接続装置もまた正三角形をなすよう設けられる。或いは、３つの第２接続装置が直角二等辺三角形をなすよう設けられるとともに、これに対応して、３つの第１接続装置もまた直角二等辺三角形をなすよう設けられる。
【００３６】
本発明におけるドラム洗濯機のモータ取付装置では、三角形による安定性の原理を利用して取付装置を設計している。モータハウジングには３つの第２接続装置を設け、これらを外槽後部１に設けられる３つの第１接続装置にそれぞれ対応させて、接続部材により接続固定している。３つの第２接続装置は三角形をなすよう配置されているため、ドラム洗濯機における外槽後部のフランジに対するＢＬＤＣモータの取り付けが容易且つ便利となる。また、部材を跨ぐような取り付けが不要となるため、取り付け誤差が低下する。
【００３７】
実施例２
【００３８】
本実施例は、３つのスタッドボルトの中心軸線がいずれも外槽の中心軸線と平行である点で実施例１とは異なる。
【００３９】
モータハウジングのうちモータの出力端寄りの位置に２つの固定脚を設け、これら２つの固定脚における接続カバー４１の中心軸線をモータの出力軸に対し平行とする。また、モータハウジングのうちモータの出力端から離開する位置に固定脚を１つ設け、当該固定脚における接続カバー４１の中心軸線をモータの出力軸に対し平行とする。
【００４０】
上記実施例の実施方案は、更なる組み合わせ又は置き換えが可能である。また、実施例は本発明の好ましい実施例について述べたにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【符号の説明】
【００４１】
１  外槽後部
２  モータ
３１  第１固定脚
４１  接続カバー
３２  第２固定脚
５１  第１スタッドボルト
５１１  補強リブ
５１２  支持プレート
５１３  ネジ孔
５２  第２スタッドボルト
６  接続キャップ
６１  天板
６２  縦筒
６３  貫通孔
【図１】
2018521825.tif 000003
【図２】
2018521825.tif 000004
【図３】
2018521825.tif 000005
【図４】
2018521825.tif 000006
【図５】
2018521825.tif 000007
【図６】
2018521825.tif 000008
【国際調査報告】
2018521825.tif 000009
2018521825.tif 000010
2018521825.tif 000011
2018521825.tif 000012
2018521825.tif 000013
2018521825.tif 000014